(57)【要約】【課題】回転枠への直進ガイド部材の取り付けには取付け部材が必要であるため、コスト高となるとともに、組込み工程が複雑化し、迅速な組込みが難しい。【解決手段】直進ガイド部材２５は環状部分２５ａを有し、光軸と直交する面での環状部分の弾性変形を可能とする切り欠き２５ａ１が環状部分２５ａに形成されている。回転枠２２の内周面に円周溝２２ｅが形成され、回転枠２２の相対回転を許容するように、環状部分２５ａが弾性変形を利用して円周溝２２ｅに嵌合される。【選択図】図３
2007171731.tif 000002
【特許請求の範囲】
【請求項１】
光軸方向に沿って設けられた直進溝を有する第１の枠と、
円周方向の溝を有し、上記第１の枠に対し相対回転しながら上記光軸方向に進退する第２の枠と、
上記第２の枠に対し上記光軸方向に進退する第３の枠と、
上記光軸と直交する平面内で弾性変形可能で、該弾性変形により上記円周方向の溝に嵌合し上記第２の枠と相対的に回転可能で上記第２の枠とともに上記光軸方向に移動する環状部分と、該環状部分から延出して上記直進溝に係合し、上記直進溝内を上記光軸方向に相対移動可能にしながら、上記環状部分が上記第１の枠と相対回転できぬようにする回転防止片と、該環状部分から上記光軸方向に延出して上記第３の枠と係合し、上記第３の枠と上記光軸方向に相対移動可能にしながら上記第３の枠の回転を規制するキーとを有する直進ガイド部材と、
を具備することを特徴とするレンズ鏡筒。
【請求項２】
固定枠に対して回転可能かつ光軸方向に移動可能な回転枠に収納されるレンズ枠の、固定枠に対する相対回転を規制するとともに光軸方向の移動をガイドする直進ガイド部材が、光軸と直交する平面内で弾性変形可能な環状部分を有して形成され、
上記回転枠の相対回転を許容して上記直進ガイド部材の上記環状部分と嵌合する円周方向の溝が、上記回転枠の周面に形成されていることを特徴とするレンズ鏡筒。
【請求項３】
上記環状部分はその一部を切り欠かれ、上記弾性変形を行うことを特徴とする請求項１または２記載のレンズ鏡筒。
【請求項４】
上記環状部分は、円環状に形成され、該円環の中心から径方向へ向う直線に対し傾斜する方向に切り欠かれている切れ目を有していることを特徴とする請求項３記載のレンズ鏡筒。
【請求項５】
上記環状部分を横断して上記キーの長手方向で上記キーの一部まで連続して切り欠かれていることを特徴とする請求項３記載のレンズ鏡筒。
【請求項６】
上記環状部分は内周面においてその一部が切り欠かれていることを特徴とする請求項３記載のレンズ鏡筒。
【発明の詳細な説明】
【技術分野】
【０００１】
本発明は、撮影レンズ群などを保持する複数の枠部材が光軸方向に相対移動可能に構成されたレンズ鏡筒に関する。
【背景技術】
【０００２】
レンズ鏡筒は複数の枠部材（鏡枠）から構成され、枠部材として、カメラ本内などに固定された固定枠と、固定枠に対して相対回転可能かつ光軸方向に相対移動可能に固定枠内に収納された回転枠と、回転枠に対して相対回転が規制されて光軸方向に移動可能に回転枠内に収納された複数のレンズ枠などがある。
【０００３】
回転枠に対するレンズ枠の相対回転は、フロートキー、キーリング、直進リングなどと称される直進ガイド部材によって規制（制限）されている。すなわち、直進ガイド部材は光軸方向に伸びた直進キー（キー）を持ち、この直進キーをレンズ枠の周面の直進溝に係合させている。そして、直進ガイド部材は、固定枠に対して相対回転を規制され、回転枠の相対回転を許容しながら回転枠とともに光軸方向に移動可能に回転枠に取付けられている。
【０００４】
従来においては、回転枠への直進ガイド部材の取付け（組込み）は、取付け部材を用いてなされている。たとえば、特開平５−１８８２７３号公報には、キー受け部材を回転枠の後端部（撮像素子側の端部）の周面にビス止めし、キー受け部材の、径方向内方に曲げられた折曲片によって回転枠の後端面に直進ガイド部材を保持し、取付ける構成が記載されている。
また、特開２０００−０６６０８１号公報には、回転枠の後端部に取付けられた円板状の結合部材に直進ガイド部材をビス止めする構成が記載されている。
【特許文献１】特開平５−１８８２７３号公報
【特許文献２】特開２０００−０６６０８１号公報
【発明の開示】
【発明が解決しようとする課題】
【０００５】
しかしながら、公知の構成では、直進ガイド部材を回転枠に取付けるためには取付け部材が必要とされる。そのため、コスト高となるとともに、組込み工程が複雑化し、迅速な組込みが容易に行なえない。
【０００６】
本発明は、取付け部材を必要とすることなく、直進ガイド部材の取付けの可能なレンズ鏡筒の提供を目的としている。
【課題を解決するための手段】
【０００７】
本発明によれば、レンズ鏡筒は、光軸方向に沿って設けられた直進溝を有する第１の枠と；円周方向の溝を有し、上記第１の枠に対し相対回転しながら上記光軸方向に進退する第２の枠と；上記第２の枠に対し上記光軸方向に進退する第３の枠と；上記光軸と直交する平面内で弾性変形可能で、該弾性変形により上記円周方向の溝に嵌合し上記第２の枠と相対的に回転可能で上記第２の枠とともに上記光軸方向に移動する環状部分と、該環状部分から延出して上記直進溝に係合し、上記直進溝内を上記光軸方向に相対移動可能にしながら、上記環状部分が上記第１の枠と相対回転できぬようにする回転防止片と、該環状部分から上記光軸方向に延出して上記第３の枠と係合し、上記第３の枠と上記光軸方向に相対移動可能にしながら上記第３の枠の回転を規制するキーとを有する直進ガイド部材と；を具備することを特徴としている。
【０００８】
また、本発明のレンズ鏡筒によれば、固定枠に対して回転可能かつ光軸方向に移動可能な回転枠に収納されるレンズ枠の、固定枠に対する相対回転を規制するとともに光軸方向の移動をガイドする直進ガイド部材が、光軸と直交する平面内で弾性変形可能な環状部分を有して形成され；上記回転枠の相対回転を許容して上記直進ガイド部材の上記環状部分と嵌合する円周方向の溝が、上記回転枠の周面に形成されていることを特徴としている。
【発明の効果】
【０００９】
本発明によれば、直進ガイド部材は弾性変形を利用して取付けられ、取付け部材が不要となる。
【発明を実施するための最良の形態】
【００１０】
本発明では、直進ガイド部材は一部の切り欠かれた弾性変形可能な環状部分を有し、切り欠き付環状部分が回転枠内周面の円周方向の溝に嵌合されて、回転枠の相対回転が許容される。
【実施例】
【００１１】
以下図面を参照しながら本発明の実施例を詳細に説明する。図１はデジタルカメラに収納された本発明の一実施例に係るレンズ鏡筒の光軸に沿った縦断面図、図２は図１に示すレンズ鏡筒の構成部材の分解斜視図を示す。
【００１２】
図１に示すように、カメラ本体１０にはレンズ鏡筒２０が設けられ、レンズ鏡筒内の一連のレンズ群によって得られた撮影光束を撮像するＣＣＤである撮像素子１０ａがカメラ本体内の支持部材１０ｂ上に電気基板１０ｃを介して配置されている。
【００１３】
図１、図２に示すように、レンズ鏡筒２０は、カメラ本内の支持部材１０ｂに固定された固定枠２１と、固定枠に対して回転可能かつ光軸Ｏ方向に移動可能に固定枠内に収納された回転枠２２と、回転枠内に光軸方向に直進可能で回転不能に収納された第１群移動枠２３および第２群レンズ枠２４とを備え、第１群移動枠内には第１群レンズ枠２３１が収納されている。
【００１４】
固定枠２１は、撮像素子側の端部（以下、「後端部」という）に外フランジ２１ａを、被写体側の端部（以下、「前端部」という）に内フランジ２１ｂをそれぞれ持つ円筒体とされ、外フランジを介してカメラ本体内の支持部材１０ｂに固定されている。また、固定枠２１の内周面には、メスのヘリコイドネジ２１ｃが形成されている。さらに、光軸Ｏと平行な長孔状の駆動ギア孔２１ｄ、直進溝２１ｅが固定枠２１の内周面にそれぞれ形成されている。そして、駆動ギア孔２１ｄの光軸方向両端には後述の駆動ギアを受けるための軸受け２１ｆが設けられている。
【００１５】
ズーム用駆動モータ（ズームモータ）２１１が固定枠２１に隣接して固定枠の外方に設けられている。また、駆動ギア２１２が固定枠内周面の駆動ギア孔２１ｄ中に上記軸受け２１ｆにより回転自在に軸受けされて配置されている。
【００１６】
第３図は図１の矢視Ｂから見たレンズ鏡筒の背面図を示す。図２、図３に示すように、回転枠２２は、後端部に円周方向の所定角度範囲、たとえば、２７０度の範囲に平歯車２２ａを、前端部に内フランジ２２ｂをそれぞれ持つ円筒体とされ、平歯車２２ａにはオスのヘリコイドネジ２２ｃが重複して形成されている。
また、回転枠２２の内周面には、螺旋状の第１、第２のカム溝２２ｄ１、２２ｄ２が互いに並設されており、これらのカム溝は、回転枠の後端面に形成された共通の導入溝２２ｄ３の途中で分岐して互いに並行に延びている。共通の導入溝２２ｄ３は円周方向に１２０度間隔で互いに離反して３つ形成されている。
【００１７】
回転枠２２内には、第１群移動枠２３と第２群レンズ枠２４とが収納され、第１群移動枠は前端部に内フランジ２３ａを持つ円筒体とされ、その内部に第１群レンズ枠２３１が保持されている。第１群レンズ枠２３１は、第１群レンズ２３１ａを保持する第１群レンズ保持枠２３１ｄを有している。そして、第１群レンズ保持枠２３１ｄは、フォーカシングのために、第１群レンズ枠２３１に対して光軸方向に相対移動可能に支持されている。他方、第２群レンズ枠２４は第２群レンズ２４ａをその内部に保持している。
光軸Ｏと平行な直進キー溝２３１ｂが第１群レンズ枠２３１の下部に形成されている。また、光軸Ｏと平行な直進キー溝２４ｂが第２群レンズ枠２４の下部に形成されている。
【００１８】
第１群レンズ枠２３１の後部の端面には、フォーカス用の駆動モータ（フォーカスモータ）２３１ｃが設けられている。そして、第２群レンズ枠２４の上部は、フォーカスモータ２３１ｃの配置スペースを確保するように、切り欠かれている。
第１群移動枠２３の外周面には、３つのカムフォロア２３ｂが円周方向に１２０度間隔で互いに離反して形成されている。また、第２群レンズ枠２４の外周面にも、３つのカムフォロア２４ｃが円周方向に１２０度間隔で互いに離反して形成されている。
【００１９】
上記のように、固定枠２１内に回転枠２２が、回転枠内に第１群移動枠２３、第２群レンズ枠２４が、撮像素子側の端部（後端部）からそれぞれ収納、配置されると、回転枠２２の後端部に直進リング２５が取付けられる。そして、第１群レンズ枠２３１を保持する第１群移動枠２３と第２レンズ枠２４とが回転枠２２に組込まれた後での回転枠からのレンズ枠２３１、２４の脱落が、直進リング２５によって防止される。
【００２０】
図４は直進リング２５を示し、（Ａ）は平面図、（Ｂ）（Ｃ）は（Ａ）の線Ｂ−Ｂ、Ｃ−Ｃを断面とする断面図を示す。図２に加えて図４に示すように、直進リング２５は、環状部分２５ａと、光軸と平行に環状部分から被写体側に延びた直進キー２５ｂと、直進キーとは逆に環状部分から撮像素子側に延びた短めの板部の先端がさらに径方向の外側に延びた回転止め２５ｃとを有して形成されている。たとえば、環状部分２５ａは円環状とされ、直進キー２５ｂ、回転止め２５ｃは環状部分の下部に形成される。さらに、環状部分２５ａの一部、たとえば環状部分の上部は切り欠かかれている。切り欠きは、たとえば、径方向の直線（放射線）Ｒに対して傾斜した切れ目（切り欠き）２５ａ１とされる。回転枠２２などの鏡筒が円筒形状であるため、環状部分２５ａは、通常、円環状とされるが円環状に限定されず、多角形などの非円環形状としてもよい。
【００２１】
直進リング２５が環状部分２５ａを持ち、環状部分に切り欠き２５ａ１を設けているため、直進リング２５は、ＥリングやＣリングのように、光軸Ｏと直交する平面内で変形可能となり、直進リングのリング外径を包絡する包絡円は、その弾性変形時において、弾性変形前の自然状態における包絡円、すなわち円環外径よりも小さくなる。回転枠２２の撮像素子側の端部内周面に円周方向の溝、たとえば円周溝２２ｅ（円周方向の溝）（図１、図３参照）が形成されており、弾性変形のもとで直進リング２５が円周溝に嵌合される。
【００２２】
図３において、直進リングの環状部分２５ａは、その非変形時の外径Ｄoutが円周溝２２ｅの溝底面の直径Ｅよりも僅かに小さく、回転枠の内周面の直径（回転枠の内径）Ｆよりも大きく形成されている。また、環状部分２５ａの非変形時の内径Ｄinは回転枠の内周面の直径（回転枠の内径）Ｆよりかなり小さく形成されている。さらに、環状部分２５ａの厚さは円周溝２２ｅの光軸方向の長さ（幅）よりも僅かに小さく形成されている。
そのため、切り欠き２５ａ１付環状部分２５ａを弾性変形させて回転枠の内径Ｆより小さくし、環状部分が円周溝２２ｅと整列する光軸方向の位置で環状部分を自然状態に戻せば、環状部分が円周溝に離脱不能に嵌合される。自然状態（非変形時）での環状部分２５ａの外径Ｄoutが円周溝２２ｅの溝底面の直径Ｅよりも小さいため、環状部分の外周面が円周溝２２ｅの溝底面に押し付けられず、溝底面との間に隙間が残される。また、環状部分２５ａの厚さが円周溝２２ｅの幅よりも小さいため、光軸方向で環状部分、円周溝の間に隙間が残される。このように、径方向および光軸方向に隙間が残されるため、回転枠２２の相対回転を許容しながら直進リング２５は回転枠の円周溝２２ｅに嵌合される。
【００２３】
直進リング２５はその弾性変形を利用して回転枠の円周溝２２ｅに嵌合され、取付け部材を必要としないで回転枠２２に組込める（取付けられる）。また、弾性変形させるだけで足りるため、組込み工程が複雑化せず、組込みが容易に行なえ、レンズ鏡筒２０を迅速に組み立てられる。
そして、直進リング２５の本体に相当する環状部分２５ａに、直進キー２５ｂ、回転止め２５ｃ、切り欠き２５ａ１を設ければ足りるため、直進リングの構成が複雑化せず、直進リングを容易に成形できる。
ここで、切り欠き２５ａ１に面する環状部分２５ａの端部２５ａ１１に係合孔２５ａ２を設けるとよい（図３参照）。このような係合孔２５ａ２を設けておけば、たとえば、はさみ状（略Ｘ形状）の加工冶具の自由端の係止ピンを係合孔に係止させることにより環状部分２５ａを弾性変形させて回転枠の円周溝２２ｅに容易に嵌合でき、回転枠２２に直進リング２５を迅速に組込める。
【００２４】
ここで、直進リングの切り欠き２５ａ１を半径方向の線Ｒと平行に形成してもよい。しかし、以下に述べるように、半径方向の線Ｒと傾斜して交差する斜めの切り欠きであることがより好ましい。
図５は直進リングの平面図を示し、（Ａ）は半径方向の線Ｒと平行に形成した切り欠き付の直進リングを、（Ｂ）（Ｃ）は半径方向の線Ｒに対し交差する（斜めの）切り欠き付の直進リングをそれぞれ示す。切り欠き２５ａ１の幅（隙間）をｄとし、図５（Ａ）において断面Ｘ−Ｘを固定端と仮定すれば、平行な切り欠きに面する２つの端部２５ａ１１はｄ／２ずつ変位可能となる。
これに対して、図５（Ｂ）の斜めの切り欠き２５ａ１の幅を同じ値（＝ｄ）とすれば、円周方向の幅ｄ1は、ｄ1＝ｄ／cosθとなり、０＜θ＜９０において、ｄ1はｄより大きいから、断面Ｘ−Ｘを固定端と仮定すれば、２つの端部２５ａ１１の変位可能な長さ（＝ｄ1／２）はｄ／２より大きい。つまり、切り欠き２５ａ１を斜めに形成すれば、切り欠きの幅を同一とした場合、平行な切り欠きの場合よりも大きな変位が得られ、直進リング２５が大きな変位のもとで弾性変形するため、回転枠２２への直進リングの組込みが容易に行なえる。
【００２５】
また、図５（Ｃ）に示すように、端部２５ａ１１の変位可能な長さがｄ／２となる切り欠き２５ａ１の幅ｄ2はｄ2＝ｄcosθとなり、０＜θ＜９０において、ｄ2はｄより小さく、切り欠き２５ａ１を斜めに形成すれば小さな切り欠きの幅（ｄ2）で、平行な切り欠きの場合と同じ変位（＝ｄ／２）が得られる。つまり、端部２５ａ１１の同じ変位を得るために必要な切り欠き２５ａ１の幅は、切り欠きを平行とする場合よりも斜めに形成すれば小さくなる。そして、切り欠き２５ａ１の幅が小さければ、組込み後における外力に対する変位が小さいから、回転枠２２の回転に対しても直進リング２５の変位が少なく、安定した動きが確保される。
【００２６】
上記のように、直進リングの切り欠き２５ａ１を斜めに形成すれば、組込み時に大きな弾性変形が得られて、回転枠２２への直進リングの２５組込みが容易に行なえる。また、これとは異なる上述の実施形態を採れば、組込み後においても直進リング２５の変形が小さく、安定した動きが確保される。
【００２７】
直進リングの環状部分２５ａに形成される切り欠き２５ａ１は環状部分の弾性変形を確保するものであれば足り、環状部分を完全に分断する切れ目である必要はない。図６は別実施例に係る直進リング２５の下方から見た斜視図を示す。切り欠き２５ａ１は、環状部分２５ａでその径方向の直線に対して傾斜されるとともに、直進キー２５ｂの幅方向の中央で長手方向にその全長の１／２程度の長さまで環状部分から連続してのびた長溝形状に形成されている。
環状部分２５ａを完全に分断しないで環状部分から直進キー２５ｂにかけて設けた長溝形状の切り欠き２５ａ１においても、所望の弾性変形が環状部分に確保される。そして、この構成においては、環状部分２５ａに隣接する直進キー２５ｂの基部に円周方向（矢視方向）の押力を加えて弾性変形させることにより、環状部分２５ａを回転枠の円周溝２２ｅ（図１参照）に嵌合でき、冶工具なしで回転筒２２に直進リング２５を迅速に組込める。
【００２８】
直進リングの環状部分２５ａに形成される切り欠き２５ａ１は弾性変形を確保するものであれば足り、図４および図５に示す環状部分を分断する態様や、図６に示す環状部分、直進キー２５ｂに連続して形成された長溝形状の態様に限定されない。図７は他の実施例に係る直進リング２５の平面図を示し、たとえば円周方向に９０度間隔で互いに離反した４つの切り欠き２５ａ１を環状部分２５ａの内周面に形成して、直進リング２５を弾性変形可能としてもよい。ここで、切り欠き２５ａ１に隣接して環状部分２５ａの外周面を２つの平行な切り欠き２５ａ１２を形成すれば、直進リング２５を回転枠の円周溝２２ｅに迅速に嵌合できる。
【００２９】
たとえば、この直進リング２５は以下の手順で回転枠２２に組み込まれる。
まず、直進リングの環状部分２５ａを矢視方向で楕円形に撓ませて、回転枠２２の内径内に挿入する。このとき、変形された環状部分２５ａの楕円形の長軸方向（Ｙ方向）の寸法は回転枠２２の内径より大きいから、環状部分は傾きながら回転枠２２の内径内に挿入され、変形させられた環状部分の楕円形の短軸方向（Ｘ方向）の外周面は回転枠２２の内径に接しながら挿入される。そして環状部分２５ａの短軸方向の外周面が円周溝の円周溝２２ｅ上に辿りついたとき、すなわち、環状部分の外周面の切り欠き２５ａ１２が円周溝上に辿りついたとき、その傾きを除去するように環状部分２５ａを光軸に垂直な平面上に向けて押し付けるように回転させる。すると、楕円形に変形した環状部分２５ａに倣って回転枠２２を僅かに変形させながら環状部分２５ａが回転枠の円周溝２２ｅに嵌合する。そして、嵌合した瞬間に回転枠２２、環状部分２５ａの変形はいずれも解消され、変形のない自然な状態で環状部分は回転枠の円周溝２２ｅに嵌合されて、直進リング２５が回転枠に組み込まれる。
【００３０】
図７に示す直進リング２５においては、他の実施例の直進リングに形成された切り欠き２５ａ１が環状部分２５ａにないため、第１群移動枠２３の外周面と回転枠２２の内周面との隙間に外部から侵入する不要な外部光を阻止できる効果があり、この点でより好ましい。
【００３１】
なお、各実施例において直進リングの環状部分２５ａの内径を単純な円形の開口として図示したが、これに限定されず、たとえば、横方向に長い矩形状の開口としてもよく、横方向に長い矩形状の開口であれば、フレア絞りの代わりとなる。
【００３２】
レンズ鏡筒２０の鏡筒の動きについて述べると、回転枠２２は、ヘリコイドネジ２２ｃを固定枠２１の対応するヘリコイドネジ２１ｃに噛合させるとともに、平歯車２２ａを駆動ギア２１２に噛合させて固定枠２１内に収納されている。また、ズームモータ２１１のピニオンギア２１１ａが固定枠内周面の駆動ギア孔内の駆動ギア２１２に噛合され、駆動ギアが固定枠内の回転枠端部の平歯車２２ａに噛合している。そのため、ズームモータ２１１を駆動させれば、駆動力がピニオンギア２１１ａ、駆動ギア２１２、平歯車２２ａを介して回転枠２２に伝達され、回転枠はヘリコイドネジ２１ｃにガイドされて固定枠内を回転しながら光軸Ｏに沿って移動する。
【００３３】
第１群移動枠２３が回転枠２２内に収納され、第１群移動枠のカムフォロア２３ｂが、共通の導入溝２２ｄ３から導入されて回転枠内周面の螺旋状の第１のカム溝２２ｄ１に係合されている。また、第２群レンズ枠２４が回転枠２２内に収納され、第２レンズ群のカムフォロア２４ｃが共通の導入溝２２ｄ３から導入されて回転枠内周面の螺旋状の第２のカム溝２２ｅ２に係合されている。そして、直進リングの回転止め２５ｂが固定枠内周面の直進溝２１ｅに係合され、直進リングの直進キー２５ａが第１群移動枠２３内の第１群レンズ枠の直進キー溝２３１ｂ、および第２群レンズ枠の直進キー溝２４ｂにそれぞれ係合されている。
そのため、固定枠２１に対して直進リング２５が回転不能かつ直進可能とされ、回転枠２２が回転しながら移動すると、第１群移動枠２３、第２群レンズ枠２４は、直進リングの直進キー２５ａにガイドされて所定のズーム位置まで直進する。
その後、フォーカスモータ２３１ｃが駆動されると、減速ギア列（図示しない）を介してその駆動力が第１群レンズ保持枠２３１ｄに伝達されて、第１群レンズ保持枠がフォーカス位置まで直進してフォーカシングがなされる。
【００３４】
上記のように、本発明によれば、光軸と平行な面で弾性変形可能に成形することにより、取付け部材をなんら必要としないで直進リング（直進ガイド部材）を迅速に組込むことができる。
また、本発明の実施例の円周溝２２ｅは必ずしも全周にわたって設けられなくとも良く、上記環状部分の回動を可能とし、光軸方向への移動を規制すればよく、一部の溝が鏡枠周方向に数箇所に設けられればよい。しかし本発明の実施例の円周溝２２ｅのように全周にわたって設けられれば、鏡枠と鏡枠の間から侵入する不用な外部からの光を防ぐこともできる。
【産業上の利用可能性】
【００３５】
本発明は、固定枠（第１の枠）によって回転を規制されて回転枠（第２の枠）とともに光軸方向に移動する直進リング部材によって、回転枠に対するレンズ枠（第３の枠）の相対回転が規制されるレンズ鏡筒に広範囲に応用できる。
【図面の簡単な説明】
【００３６】
【図１】デジタルカメラに収納された本発明の一実施例に係るレンズ鏡筒の光軸に沿った縦断面図を示す。
【図２】図１に示すレンズ鏡筒の構成部材の分解斜視図を示す。
【図３】図１の矢視Ｂから見たレンズ鏡筒の背面図を示す。
【図４】直進リングを示し、（Ａ）は平面図、（Ｂ）（Ｃ）は（Ａ）の線Ｂ−Ｂ、Ｃ−Ｃを断面とする断面図を示す。
【図５】直進リングの平面図を示し、（Ａ）は半径方向の線Ｒと平行に形成した切り欠き付の直進リングを、（Ｂ）（Ｃ）は半径方向の線Ｒと傾斜して交差する切り欠き付の直進リングを示す。
【図６】別実施例に係る直進リングの斜視図を示す。
【図７】他の実施例に係る直進リングの平面図を示す。
【符号の説明】
【００３７】
１０             カメラ本体
１０ａ           撮像素子
２０             レンズ鏡筒
２１             固定枠（第１の枠）
２２             回転枠（第２の枠）
２２ｅ           円周溝
２３             第１群移動枠
２３１           第１群レンズ枠（第３の枠）
２３１ａ         第１群レンズ
２３１ｄ         第１群レンズ保持枠
２４             第２群レンズ枠（第３の枠）
２４ａ           第２群レンズ
２５             直進リング
２５ａ           環状部分
２５ａ１         切り欠き
２５ｂ           直進キー
２５ｃ           回転止め
【図１】
2007171731.tif 000003
【図２】
2007171731.tif 000004
【図３】
2007171731.tif 000005
【図４】
2007171731.tif 000006
【図５】
2007171731.tif 000007
【図６】
2007171731.tif 000008
【図７】
2007171731.tif 000009